(57)【要約】 【課題】トイレットペーパーの装着・取り替えや紙を引き出して切るまで片手で容易に出来るトイレットペーパーホルダーを提供する。          【解決手段】本考案は、下部が湾曲した収納体（１）を設け、この収納体（１）の上部に、上蓋（２）を設ける。そして上蓋（２）の内側に、くの字形をし、中央部左右に支点軸を有し、前方の先端に紙切り部（５）、奥に紙押さえ部（７）を設けた紙切羽根（４）を設ける。次に、収納体（１）開口部内側手前に紙受け部（８）を設ける。本発明は、以上の構成よりなり、紙を切るときに、紙を紙切り部（５）を押し上げるように引けば、その反動により紙押さえ部（７）が下がり、紙の動きを止めるため、紙切り部（５）で紙が切れるようにした、片手で使用できるトイレットペーパーホルダーである。  【選択図】  図４
0003137534.tif 000002
【実用新案登録請求の範囲】
【請求項１】
上蓋に付けた紙切り羽根の紙切り部を、引き出したトイレットペーパーが押し上げることにより、紙切り羽根反対側の紙押さえ部が、紙受け部にトイレットペーパーを押し挟み、その動きを止めるため、紙切り部で紙が切れるようにしたトイレットペーパーホルダー。
【考案の詳細な説明】
【技術分野】
【０００１】
本考案は、上蓋に紙切り羽根を設置し、引き出したトイレットペーパーを切るときに、引き上げる動作で紙切り羽根の紙切り部を押し上げることにより、紙切り羽根反対側の紙押さえ部が、紙受け部にトイレットペーパーを押し挟み、その動きを止めるため、紙切り部で紙が切れるようにしたトイレットペーパーホルダーに関するものである。
なお、紙切り羽根は、紙切り羽根支点軸から紙切り部の方が紙切り羽根支点軸から紙押さえ部までより重いため、紙が紙切り部に触れていない時は紙押さえ部は上がっており、紙を引き出す際の支障にならないようにしている。
【背景技術】
【０００２】
トイレットペーパーをトイレットペーパーホルダーから引き出し、切る場合は、紙の動きを止めるために、もう一方の手で上蓋等を押さえる必要がある。
【考案の開示】
【考案が解決しようとする課題】
【０００３】
（１）片手が不自由な人やお年寄りで体をねじるのが困難な人は、引き出した紙を切ることが出来ずに困っていた。
（２）紙ロールに紙の取り出し口が張りついているときは、取り出し口を探すのが面倒であった。
（３）トイレットペーパーホルダーへのトイレットペーパーの着脱が、面倒であった。
本考案は、以上の欠点を解決するためになされたものである。
【課題を解決するための手段】
【０００４】
左右対称に成型し、下部が湾曲した収納体（１）を設け、この収納体（１）の上部に、上蓋（２）を設ける。そして上蓋（２）の内側先端近くに、支点軸（６）を頂点として「く」の字形をし、前方先端に紙切り部（５）を設け、奥に紙押さえ部（７）を設けた紙切り羽根（４）を設ける。次に、収納体（１）開口部内側前方に紙受け部（８）を設ける。本考案は、以上の構成よりなる片手で使用できるトイレットペーパーホルダーである。
【考案の効果】
【０００５】
本考案では、紙取り出し口が紙受け部（８）に架かり垂れ下がった状態であり、容易に紙を掴みやすく、引き出した紙を切るときも、紙を引き上げることにより、紙切羽根（４）の紙押さえ部（７）により紙受け部（８）へ紙が押し挟はさまれた状態で固定されるため、容易に紙を切ることが出来る。また、トイレットペーパーの収納も上蓋（２）を上げ、収納体（１）にトイレットペーパーを入れて置くだけであり簡単である。これらの動作は、すべて片手で容易に出来るものである。          
【考案を実施するための最良の形態】
【０００６】
本考案を使用するときは、片手で水平又は下方に紙を引き出し、引き上げるだけで簡単に紙を切り取ることが出来るものである。
【実施例】
【０００７】
以下、添付図面１に従って本考案の実施例を説明する。
ア．（１）は耐久性のプラスチック等適宜素材にて形成され、下部が湾曲した収納体である。この収納体（１）の上部奥に上蓋支点軸（３）を左右対称に設け、耐久性のプラスチック等適宜素材にて形成された上蓋（２）を取り付ける。
イ．先端が波状の突起をした紙切り部（５）と、もう一方をゴム等の滑りにくい素材で形成された紙押さえ部（７）を有し、中央から紙押さえ部（７）側に少し寄った部分に紙切り羽根支点軸（６）を持ち、「く」の字形をした紙切り羽根（４）を設ける。そして上蓋（２）の内側先端近くに紙切り羽根（４）を取り付ける。
ウ．収納体（１）手前部の上蓋（２）を閉じたときに紙押さえ部（７）に相対する部分に、手前に僅かに傾斜し、上面が平面である紙受け部（８）を設ける。
エ．上蓋（２）の先端寄りの両端に左右対称に上蓋固定フック（９）を設ける。
オ．収納体（１）上面両端の上蓋固定フック（９）と相対する位置に上蓋固定フック受け部（１０）を設ける。
本考案は、以上の構成よりなっている。本考案を使用するときは、次のようにして紙を切り取ることが出来る。
カ．トイレットペーパーを取り付けるには、まず上蓋固定フック受け部（１０）のつまみを奥へスライドさせ、上蓋固定フック（９）の固定を解除し、上蓋（２）を手前から奥へ引き上げ開ける。そして収納体（１）の上部開口部からトイレットペーパーを入れて置き、紙取り出し口となる紙の端を紙受け部（８）を跨ぎ垂れるように架ける。最後に、上蓋（２）を手前に倒し、上蓋固定フック（９）が上蓋固定フック受け部（１０）に挿入された状態で、上蓋固定フック受け部（１０）のつまみを手前へスライドさせれば、上蓋固定フック（９）は固定され、トイレットペーパーの収納は完了する。
キ．トイレットペーパーを取り替えるときには、前述の手順により上蓋（２）を開け、ロール紙の芯をつまみ取り出し、新しいトイレットペーパーを前述の手順により入れ上蓋（２）を閉める。
ク．紙を引き出し、切るときには、トイレットペーパー前垂れ部（１２）を摘み、必要量を引き出し、紙を紙切り部（５）を押し上げるように引けば、その反動により紙押さえ部（７）が下がり、紙受け部（８）に紙を押し挟み、紙の動きを止めるため、紙切り部（５）で紙が切れる。 
ケ．なお、紙切り羽根（４）は紙切り羽根支点軸（６）から紙切り部（５）までの方が紙切り羽根支点軸（６）から紙押さえ部（７）までより重いため、紙が紙切り部（５）に触れていない時は紙押さえ部（７）は上がっており、紙を引き出す際の支障にはならない。                                                        
【図面の簡単な説明】
【０００８】
【図１】本考案のトイレットペーパーホルダーの上蓋（２）を開けた時の状態を示す図である。
【図２】本考案のトイレットペーパーホルダーの上蓋（２）を開けた時の状態を示す断面図である。
【図３】本考案のトイレットペーパーホルダーにトイレットペーパーを入れ、上蓋（２）を閉じた時の状態を示す断面図である。
【図４】本考案のトイレットペーパーホルダーから紙を引き出し、切るために引き上げたときの状態を示す断面図である。
【符号の説明】
【０００９】
１  収納体
２  上蓋
３  上蓋支点軸
４  紙切り羽根  
５  紙切り部
６  紙切り羽根支点軸
７  紙押さえ部
８  紙受け部
９  上蓋固定フック
１０上蓋固定フック受け部
１１トイレットペーパー
１２トイレットペーパー前垂れ部
【図１】
0003137534.tif 000003
【図２】
0003137534.tif 000004
【図３】
0003137534.tif 000005
【図４】
0003137534.tif 000006
【手続補正書】
【提出日】平成19年9月21日(2007.9.21)
【手続補正１】
【補正対象書類名】実用新案登録請求の範囲
【補正対象項目名】請求項１
【補正方法】変更
【補正の内容】
【請求項１】
収納体（１）の上蓋（２）の内側先端近くに、支点軸（６）を頂点として「く」の字形をし、前方先端に紙切り部（５）を有し、後方先端に紙押さえ部（７）を有する紙切り羽根（４）を設ける。さらに、収納体（１）開口部内側前方の紙押さえ部（７）と相対する部分に紙受け部（８）を設け、引き出したトイレットペーパーが紙切り羽根の紙切り部（５）を押し上げることにより、紙切り羽根反対側の紙押さえ部（７）が、紙受け部（８）にトイレットペーパーを押し挟み、その動きを止めるため、紙切り部（５）で紙が切れるようにしたことを特徴とするトイレットペーパーホルダー。